(57)【要約】【課題】天井付近の空気をそのまま導入しても、内部を十分に冷却することができる構成のプロジェクタおよびこのプロジェクタの制御方法を提供する。【解決手段】プロジェクタ１は、プロジェクタ１の内部に設けられ光源部から射出された光束を画像信号に応じて変調し形成した画像光を投射する機構部と、カバー外装２内への収容およびカバー外装２からの引き出しが可能に構成され、プロジェクタ１近傍の空気を攪拌するための外気流ファン３０と、プロジェクタ１が天吊り設置され、光源部が点灯し、外気流ファン３０がカバー外装２から引き出されている場合に、外気流ファン３０の稼働を指示する制御をするための制御部と、を備えたことを特徴とする。【選択図】図２
2009186648.tif 000002
【特許請求の範囲】
【請求項１】
筐体の内部に設けられ、光源部から射出された光束を画像信号に応じて変調し形成した画像光を投射する機構部と、
前記筐体の近傍の空気を導入して前記機構部を冷却する冷却部と、
前記筐体内への収容および前記筐体からの引き出しが可能に構成され、前記筐体近傍の空気を攪拌するためのファン部と、
前記ファン部の稼働を制御するための制御部と、を備えたことを特徴とするプロジェクタ。
【請求項２】
請求項１に記載のプロジェクタにおいて、
前記制御部は、前記光源部が点灯し且つ前記ファン部が前記筐体から引き出されている場合に、前記ファン部の稼働を指示することを特徴とするプロジェクタ。
【請求項３】
請求項２に記載のプロジェクタにおいて、
前記制御部は、さらに前記筐体が天吊り設置されていることを示す天吊りモードである場合にのみ、前記ファン部の稼働を指示することを特徴とするプロジェクタ。
【請求項４】
請求項１から３のいずれか一項に記載のプロジェクタにおいて、
前記ファン部は、前記機構部を冷却する空気を導入するために前記筐体に設けられた吸気口の近傍に配置されていることを特徴とするプロジェクタ。
【請求項５】
請求項１から４のいずれか一項に記載のプロジェクタにおいて、
前記制御部は、前記筐体近傍の空気の温度が所定温度以上に上昇した場合には、警告の表示を指示することを特徴とするプロジェクタ。
【請求項６】
光源部から射出された光束を画像信号に応じて変調し形成した画像光を投射するプロジェクタの動作を制御するための制御方法であって、
前記光源部の点灯を指示する点灯ステップと、
前記プロジェクタが筐体内に引き出し可能に収容され前記筐体近傍の空気を攪拌するためのファン部を備え、天吊り設置されている天吊りモードであることを確認するモード確認ステップと、
前記ファン部が引き出されていることを確認するファン部確認ステップと、
前記ファン部の稼働を指示するファン部稼働ステップと、を有することを特徴とする制御方法。
【請求項７】
請求項６に記載の制御方法において、
前記ファン部稼働ステップは、前記光源部が点灯し且つ前記ファン部が前記筐体から引き出されている場合に、前記ファン部の稼働を指示することを特徴とする制御方法。
【請求項８】
請求項７に記載の制御方法において、
前記ファン部稼働ステップは、さらに前記プロジェクタが天吊りモードである場合にのみ、前記ファン部の稼働を指示することを特徴とする制御方法。
【請求項９】
請求項６から８のいずれか一項に記載の制御方法において、
前記筐体近傍の空気の温度が所定温度以上に上昇した場合には、警告の表示をする警告ステップをさらに有することを特徴とする制御方法。
【発明の詳細な説明】
【技術分野】
【０００１】
本発明は、冷却用の空気を導入する吸気口周辺の温度上昇を防止する機構を備えたプロジェクタおよびこのプロジェクタを制御するための制御方法に関する。
【背景技術】
【０００２】
従来、プロジェクタを天吊り状態で使用する場合、天井付近の空気は床付近の空気より暖まっている傾向であるため、この空気をプロジェクタへ導入すると、プロジェクタを床設置した場合に比べて、プロジェクタの冷却を十分に行えなかった。その対策として、プロジェクタの吸気口に対向して外付けの外部ファンを取り付け、この外部ファンとプロジェクタの内蔵ファンとの協働により、プロジェクタへ導入する空気量を大幅に増加させるものがある。これにより、プロジェクタをより効果的に冷却することが可能になるというものである（例えば特許文献１）。
【０００３】
【特許文献１】特開２００６−２５９２８９号公報
【発明の開示】
【発明が解決しようとする課題】
【０００４】
しかし、プロジェクタの近傍に滞留する空気は、暖められ易い状態であり、また、天井付近等の高所において滞留している空気は、より高温になっている場合が多いため、前記特許文献１に記載されているように、これらの高温の空気をそのまま大量に導入しても、プロジェクタを十分に冷却することが困難である、という課題がある。
【課題を解決するための手段】
【０００５】
本発明は、上記課題の少なくとも一部を解決するためになされたものであり、以下の適用例または形態として実現することが可能である。
【０００６】
［適用例１］本適用例に係るプロジェクタは、筐体の内部に設けられ、光源部から射出された光束を画像信号に応じて変調し形成した画像光を投射する機構部と、前記筐体の近傍の空気を導入して前記機構部を冷却する冷却部と、前記筐体内への収容および前記筐体からの引き出しが可能に構成され、前記筐体近傍の空気を攪拌するためのファン部と、前記ファン部の稼働を制御するための制御部と、を備えたことを特徴とする。
【０００７】
このプロジェクタによれば、筐体にファン部を備えていて、ファン部は、筐体の内部に収容可能であると共に筐体からの引き出しも可能に構成されている。このファン部は、制御部の指示により稼働を開始すると、筐体の近傍の空気を攪拌する役目を果たす。ファン部が空気を攪拌することにより、空気の流れが生じるため、筐体の近傍の空気は、その場に滞留することなく、常に流動している状態となる。つまり、筐体の近傍に、周辺の空気の温度と異なる空気が滞留することがなくなる。これにより、プロジェクタは、筐体の近傍に滞留し機構部の冷却に不適な高温の空気を、冷却部が導入してしまうような事態を回避することが可能である。このように、プロジェクタは、ファン部を備えることにより、攪拌され機構部の冷却に適した空気を導入することができ、効率的な冷却が行える。
【０００８】
［適用例２］上記適用例に係るプロジェクタにおいて、前記制御部は、前記光源部が点灯し且つ前記ファン部が前記筐体から引き出されている場合に、前記ファン部の稼働を指示することが好ましい。
【０００９】
この構成によれば、ファン部は、発熱の多い光源部が点灯している状態において、筐体の近傍の空気を攪拌することが可能なように筐体から引き出されていれば、制御部の指示により稼動する。従って、光源部が点灯していても、ファン部が筐体に収容されている状態の場合は、ファン部が非稼動でも冷却部により機構部の冷却が可能である場合であって、ファン部は稼動しない。また、ファン部が引き出されていても、光源部が非点灯であれば、ファン部は稼動しない。これにより、制御部は、ファン部の収容または引き出しによる稼動の要否と、光源部の点灯の有無と、を判断し、適切にファン部の稼動を制御して、冷却部が機構部の冷却に適した空気を、効率的に導入することを可能にする。
【００１０】
［適用例３］上記適用例に係るプロジェクタにおいて、前記制御部は、さらに前記筐体が天吊り設置されていることを示す天吊りモードである場合にのみ、前記ファン部の稼働を指示することが好ましい。
【００１１】
この構成によれば、筐体の近傍に高温の空気が滞留しやすい設置方法である天吊りの場合にのみ、ファン部が稼動する。制御部によるこのようなファン部の稼動制御により、天吊り設置以外の場合等における、不必要なファン部の稼動を抑制して、省電力化を図ることが可能である。
【００１２】
［適用例４］上記適用例に係るプロジェクタにおいて、前記ファン部は、前記機構部を冷却する空気を導入するために前記筐体に設けられた吸気口の近傍に配置されていることが好ましい。
【００１３】
この構成によれば、ファン部は、吸気口の近傍において空気を攪拌するため、吸気口近傍の空気が滞留することなく、他の筐体近傍位置より流動的な状態となっている。つまり、吸気口の近傍には、高温の空気が滞留し難くなっており、そのため、吸気口から導入される空気は、冷却に適した温度のものであって、冷却部によって機構部を効率的に冷却することが可能である。
【００１４】
［適用例５］上記適用例に係るプロジェクタにおいて、前記制御部は、前記筐体近傍の空気の温度が所定温度以上に上昇した場合には、警告の表示を指示することが好ましい。
【００１５】
この構成によれば、プロジェクタは、稼動中に筐体近傍の空気の温度が上昇すると、その旨の警告を表示して対応処理を促す。これにより、ファン部が稼動中であれば、異常事態として光源部を消灯する等の対応ができ、また、ファン部の稼動は不要と判断してファン部が収容されたままであっても、ファン部を引き出して稼動させる等の対応を促して、プロジェクタに支障が生じる事態を事前に回避することが可能である。
【００１６】
［適用例６］本適用例に係る制御方法は、光源部から射出された光束を画像信号に応じて変調し形成した画像光を投射するプロジェクタの動作を制御するためのものであって、前記光源部の点灯を指示する点灯ステップと、前記プロジェクタが筐体内に引き出し可能に収容され前記筐体近傍の空気を攪拌するためのファン部を備え、天吊り設置されている天吊りモードであることを確認するモード確認ステップと、前記ファン部が引き出されていることを確認するファン部確認ステップと、前記ファン部の稼働を指示するファン部稼働ステップと、を有することを特徴とする。
【００１７】
この制御方法によれば、制御されるプロジェクタは、筐体にファン部を備えていて、ファン部は、筐体の内部に収容可能であると共に筐体からの引き出しも可能に構成されている。このファン部は、制御部の指示により稼働を開始すると、筐体の近傍の空気を攪拌する。ファン部が空気を攪拌することにより、空気の流れが生じるため、筐体の近傍の空気は、その場に滞留することなく、常に流動している状態となる。つまり、筐体の近傍に、周辺の空気の温度と異なる空気が滞留することがなくなる。これにより、プロジェクタは、筐体の近傍に滞留し機構部の冷却に不適な高温の空気を、冷却部が導入してしまうような事態を回避することが可能である。ファン部の稼動を指示するファン部稼動ステップは、点灯ステップ、モード確認ステップおよびファン部確認ステップのそれぞれの状態に基づいて、適切にファン部を制御する。このような制御方法は、ファン部で攪拌され機構部の冷却に適した空気によって、プロジェクタを効率的に冷却することが可能である。
【００１８】
［適用例７］上記適用例に係る制御方法において、前記ファン部稼働ステップは、前記光源部が点灯し且つ前記ファン部が前記筐体から引き出されている場合に、前記ファン部の稼働を指示することが好ましい。
【００１９】
この方法によれば、ファン部稼働ステップにおいて、ファン部は、発熱の多い光源部が点灯している状態で、さらに、筐体の近傍の空気を攪拌することが可能なように筐体から引き出されていれば、制御部の指示により稼動する。従って、光源部が点灯していても、ファン部が筐体に収容されている状態の場合は、ファン部が非稼動でも冷却部により機構部の冷却が可能である場合であって、ファン部は稼動しない。また、ファン部が引き出されていても、光源部が非点灯であれば、ファン部は稼動しない。これにより、ファン部稼働ステップは、ファン部の収容または引き出しによる稼動の要否と、光源部の点灯の有無と、を判断し、適切にファン部の稼動を制御して、冷却部が機構部の冷却に適した空気を導入することを可能にする。
【００２０】
［適用例８］上記適用例に係る制御方法において、前記ファン部稼働ステップは、さらに前記プロジェクタが天吊りモードである場合にのみ、前記ファン部の稼働を指示することが好ましい。
【００２１】
この方法によれば、ファン部稼働ステップでは、筐体の近傍に高温の空気が滞留しやすい設置方法である天吊りの場合にのみ、ファン部が稼動する。ファン部稼働ステップにおけるこのようなファン部の稼動制御により、天吊り設置以外の場合等における、不必要なファン部の稼動を抑制して、省電力化を図ることが可能である。
【００２２】
［適用例９］上記適用例に係る制御方法において、前記筐体近傍の空気の温度が所定温度以上に上昇した場合には、警告の表示をする警告ステップをさらに有することが好ましい。
【００２３】
この方法によれば、警告ステップでは、プロジェクタの稼動中に筐体近傍の空気の温度が上昇すると、その旨の警告を表示して対応処理を促す。これにより、ファン部が稼動中であれば、異常事態として光源部を消灯する等の対応ができ、また、ファン部の稼動は不要と判断してファン部が収容されたままであっても、ファン部を引き出して稼動させる等の対応を促して、プロジェクタに支障が生じる事態を事前に回避することが可能である。
【発明を実施するための最良の形態】
【００２４】
以下、プロジェクタおよびプロジェクタの制御方法の具体的な実施形態について図面に従って説明する。本実施形態のプロジェクタは、筐体の近傍の空気を撹拌する機構を備えていることを特徴とする。
（実施形態）
【００２５】
図１は、本実施形態にかかるプロジェクタを天吊り設置した状態を示す斜視図であり、天吊り設置されたプロジェクタ１を床側から見た図である。また、図２（ａ）は、天吊り設置され外気流ファンを収容した状態のプロジェクタを天井側から見た斜視図、図２（ｂ）は、外気流ファンを引き出した状態のプロジェクタを示す斜視図である。図１に示すように、プロジェクタ１は、略直方体形状の外観をなしていて、プロジェクタ１の機構部を収容するための筐体であるカバー外装２と、基部外装３と、を有している。
【００２６】
カバー外装２は、天吊り設置されたプロジェクタ１の床と対向する側に位置し、床対向面、正面、背面、右側面および左側面を形成している。カバー外装２の床対向面には、背面側右方に位置し、光源部の光源ランプを交換するために開閉可能な光源蓋２ａと、略中央部に位置しプロジェクタ１を操作するための操作ボタン類を有する操作部２ｂと、が設けられている。また、カバー外装２の正面側左方には、投射部４５からの光束が通過して投射されるための投射開口７と、投射開口７を開閉するために左右方向へスライド移動する開閉扉８と、が設けられている。
【００２７】
そして、基部外装３は、天吊り設置されたプロジェクタ１の天井側に位置し、プロジェクタ１の正面、右側面、左側面、背面および天吊り面３ａ（図２）を形成している。基部外装３は、右側面に位置し機構部を冷却した冷却空気を排気するための排気口６と、正面に位置しプロジェクタ１を無線制御するためのリモコン（不図示）に対応する受信部１４と、を有し、天吊り面３ａには、プロジェクタ１を天吊り設置するための天吊り機構部９が設けられている。このようなプロジェクタ１は、画像が投射されるスクリーン等を見る側と同じ側に設置されるいわゆるフロントタイプに属するものである。
【００２８】
次に、図２（ａ）に示すように、基部外装３の天吊り面３ａには、天吊り機構部９と、投射部４５の直近にあって機構部を冷却する冷却空気（空気）を筐体の内部へ取り入れるための吸気口５と、吸気口５から取り入れる冷却空気の温度を測定するための吸気温度検出部１２と、吸気口５の背面側に引き出し可能な構成で収容され、引き出されると筐体近傍の空気を攪拌することが可能な外気流ファン（ファン部）３０と、外気流ファン３０の背面側にあって外気流ファン３０の収容または引き出し状態を検出する外気流ファン検出部３６と、が設けられている。
【００２９】
また、天吊り面３ａには、正面側中央、背面側右方および背面側左方に位置し、プロジェクタ１の床設置時において、投射部４５から投射される画像の上下方向の煽りと水平方向の傾きとを調整するための３本の脚部１０が取り付けられている。なお、このプロジェクタ１では、吸気温度検出部１２として温度に応じて抵抗値が変化するサーミスタを用いている。
【００３０】
ここで天吊り機構部９の構成について説明する。天吊り機構部９は、天井に固定された支柱部９１と、プロジェクタ１の天吊り面３ａに固定ボルト９６で固定され、さらに支柱部９１に連結された連結部９２と、を有している。これら支柱部９１と連結部９２とは、連結ピン９３によって回動可能に連結されている。また、連結部９２には、連結ピン９３の位置を中心とする円弧状の調整長孔９４が設けられていて、支柱部９１を貫通する調整ボルト９５を調整長孔９４の任意位置へ固定することにより、支柱部９１と連結部９２との回動を調整することができる。これにより、プロジェクタ１の上下方向の煽りが調整できる。
【００３１】
そして、外気流ファン３０は、図２（ａ）に示すように、通気口３１ａが天吊り面３ａとほぼ同一面になるように筐体の収容部１３（図２（ｂ））へ収容されていて、通気口３１ａの面側に外気流ファン３０を引き出すための取っ手部３２が設けられている。この取っ手部３２を引くことにより、外気流ファン３０は、図２（ｂ）に示すように、筐体から引き出されて天吊り面３ａに対して直立した状態となる。この場合、外気流ファン３０は、略直方体をなしており、直立した外気流ファン３０は、通気口３１ａと対向して設けられた通気口３１ｂを吸気口５の方向へ向けている。即ち、外気流ファン３０は、通気口３１ａを空気の吸入側とすると共に、通気口３１ｂを排出側として、吸気口５へ向けた空気の外気流４０を形成する。これにより、外気流ファン３０は、筐体近傍の空気を攪拌する。外気流ファン３０の詳細構成については、図５を参照して後述する。
【００３２】
次に、プロジェクタ１の内部に収容されている機構部について説明する。図３は、プロジェクタの機構部を示す斜視図である。図３は、図１および図２と異なり、プロジェクタ１を床設置した状態で、分かり易いように表している。この図３に示すように、プロジェクタ１は、内部に、吸気口５（図２）から冷却空気を吸引して取り入れるための２つの吸気ファン１５（１５ａ，１５ｂ）と、一方の吸気ファン１５ａが取り込んだ冷却空気を機構部へ導くためのダクト１７と、他方の吸気ファン１５ｂが取り込んだ冷却空気を機構部へ導くためのダクト（不図示）と、を有している。
【００３３】
また。プロジェクタ１は、２つの吸気ファン１５ａ，１５ｂの間に位置し光束を投射する投射部４５と、基部外装３を正面から見て正面左方にあって一端が排気口６（６ｂ）と対向して位置する電源部１８と、電源部１８の背面側に排気口６（６ａ）に対して斜めに対向して位置する排気ファン１６と、排気ファン１６から投射部４５にかけて、図３における上面側から見て略Ｌ字状に配置された光学ユニット４（４１，４２，４３，４４，４５）と、光学ユニット４の背面側に設けられたスピーカ１９と、光学ユニット４の上方に設けられた制御基板２０と、制御基板２０の背面側に設けられ、外部機器とプロジェクタ１とを接続するための数種の端子類を有するコネクタ部２１と、を有している。なお、プロジェクタ１において、吸気ファン１５、排気ファン１６および２つのダクトは、冷却部として機能する。
【００３４】
さらに、プロジェクタ１の機構部の主要部である光学ユニット４は、排気ファン１６の近傍にあり光源部を有するインテグレータ照明部４１と、色分離部４２と、リレー光学部４３と、３枚の液晶パネル（不図示）を光学変調素子として有する光学変調部４４と、光学変調部４４に接続されている投射部４５と、で構成されている。このような構成の光学ユニット４は、略Ｌ字状の支持体に収容されて、基部外装３の内底面に載置されている。
【００３５】
この光学ユニット４の機能について説明すると、インテグレータ照明部４１は、光源部の光源ランプから光束を射出し、光学変調部４４において、赤、緑、青の色光にそれぞれ対応して設けられている３枚の液晶パネルの画像形成領域を、光束がほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部４５によって拡大して投射され、スクリーンに映像として映し出される。
【００３６】
このような構成のプロジェクタ１は、制御部によって制御されており、以下にその詳細について説明する。図４は、制御部の構成を示すブロック図である。プロジェクタ１の制御部５０は、制御基板２０（図３）に実装されていて、プロジェクタ１を総合的に制御するＣＰＵ（Central  Processing  Unit）５１と、ＣＰＵ５１が参照して各種処理を実行するためのプログラム等を格納しているＲＯＭ（Read  Only  Memory）５２と、光学ユニット４および電源部１８の稼働を制御するユニット制御部５３と、操作部２ｂ、コネクタ部２１および受信部１４の入出力を制御する入出力制御部５４と、を有している。
【００３７】
また、制御部５０は、外気流ファン３０、吸気ファン１５および排気ファン１６の駆動状態を制御するファン制御部５５と、外気流ファン検出部３６および吸気温度検出部１２による検出を制御する検出制御部５６と、を有している。ファン制御部５５は、機構部を冷却するための吸気ファン１５および排気ファン１６の駆動を制御して、冷却空気を効率的に筐体内へ導入する。さらに、ファン制御部５５は、入出力制御部５４が操作部２ｂまたは受信部１４からプロジェクタ１の天吊り設置を示す天吊りモードの信号を受信し、且つ、検出制御部５６が外気流ファン３０の筐体からの引き出しを検出していれば、筐体近傍の空気を攪拌するために外気流ファン３０を駆動させる。
【００３８】
このように、ファン制御部５５は、外気流ファン３０を駆動させて、筐体近傍の天井付近に滞留している高温の空気が、冷却空気としてそのまま吸気口５から吸気されることを防止する制御を行う。なお、外気流ファン３０が筐体から引き出されて稼働している際に、外気流ファン検出部３６によって収容部１３への収容が検出された時には、ファン制御部５５が外気流ファン３０の稼働を停止させる。
【００３９】
次に、外気流ファン３０の構成について、詳細に説明する。図５（ａ）は、プロジェクタに収容された外気流ファンを示す断面図である。また、図５（ｂ）は、プロジェクタから引き出された外気流ファンを示す断面図である。筐体の収容部１３に収容された状態の外気流ファン３０は、図５（ａ）に示すように、基部外装３に設けられたファン支持部３３に、ファン支持部３３の軸支部３３ａを中心に回動可能な構成で取り付けられている。軸支部３３ａは、外気流ファン３０を収容状態および引き出し状態のそれぞれの位置で、固定状態に保持できる構成となっている。従って、外気流ファン３０は、収容状態または引き出し状態のいずれの状態においても、固定状態を維持できると共に、取っ手部３２を介していずれの状態へも回動移動することができる。
【００４０】
また、外気流ファン３０を支持するファン支持部３３は、外気流ファン３０が収容状態であるか、または引き出し状態であるかを検出するための外気流ファン検出部３６を有している。この場合、外気流ファン検出部３６は、図示を省略してあるが、外気流ファン３０の回動した位置をマイクロスイッチによって電気的に検出する方式のものである。また、収容部１３のファン支持部３３と対極側には、収容部１３へ収容された外気流ファン３０を受け、安定した位置に保持するための突起部１３ａが設けられている。
【００４１】
そして、外気流ファン３０は、内部に回転翼３５を有し、通気口３１ａの側に回転翼３５を回転させるモータ３４を有している。外気流ファン３０は、図５（ａ）に示す収容部１３に収容された状態から、取っ手部３２を介して引き出されると、図５（ｂ）に示すように、天吊り面３ａに対して直立した状態になる。この状態において、回転翼３５は、通気口３１ａから通気口３１ｂの方向へ空気を流動させるように回転可能であって、回転すると外気流４０を形成する。形成された外気流４０により、筐体の近傍の空気は、常に流動しており、滞留している場合のように高温になることがほとんどなくなる。
【００４２】
次に、プロジェクタ１の電源が入れられ、稼働を開始する場合に、制御部５０が実行するフローについて説明する。図６は、プロジェクタの稼働開始時の手順を示すフローチャートである。まず、ステップＳ１において、光源ランプを点灯する。具体的には、ユニット制御部５３が光学ユニット４のインテグレータ照明部４１へ指示して、光源ランプを点灯させる。このステップＳ１は、点灯ステップに該当する。点灯後、ステップＳ２へ進む。
【００４３】
ステップＳ２において、プロジェクタ１が天吊りモードか否かを判断する。この判断は、入出力制御部５４が操作部２ｂまたは受信部１４から受信した信号が、天吊りモードを示すものであるか否かを見極めることであり、ＣＰＵ５１が行う。このステップＳ２は、モード確認ステップに該当する。信号が天吊りモードであれば、ステップＳ３へ進み、一方、天吊りモードでなければ、フローを終了する。つまり、天吊りモードでない場合には、外気流ファン３０を稼動させることなく、プロジェクタ１が稼動開始する。
【００４４】
プロジェクタ１が天吊りモードの場合、ステップＳ３において、外気流ファン３０が引き出されているか否かを判断する。この判断は、ＣＰＵ５１が、検出制御部５６の受信した外気流ファン検出部３６の検出結果に基づいて行う。このステップＳ３は、ファン部確認ステップに該当する。外気流ファン３０が引き出されていれば、ステップＳ４へ進み、一方、外気流ファン３０が引き出されていなければ、フローを終了する。外気流ファン３０が引き出されておらず、フローが終了した場合には、外気流ファン３０を稼動させることなく、プロジェクタ１が稼動開始する。
【００４５】
外気流ファン３０が引き出されている場合、ステップＳ４において、外気流ファン３０が稼働を開始する。即ち、ＣＰＵ５１が外気流ファン３０の稼働開始の条件である天吊りモードおよび引き出しを確認したことにより、ファン制御部５５が外気流ファン３０へ指示して、外気流ファン３０の稼働を開始させる。このステップＳ４は、ファン部稼働ステップに該当し、外気流ファン３０を稼働させた後、フローは終了する。この場合、プロジェクタ１は、外気流ファン３０が稼働している状態で、稼働を開始する。
【００４６】
次に、プロジェクタ１が稼働中に、吸気温度検出部１２が吸気口５から導入される冷却空気の温度の上昇を検出した場合、制御部５０が実行するフローについて説明する。図７は、プロジェクタの吸気温度が上昇した場合の手順を示すフローチャートである。まず、ステップＳ１０において、吸気口５における吸気温度が所定温度より上昇したか否かを判断する。この判断は、ＣＰＵ５１が、検出制御部５６の受信した吸気温度検出部１２の温度検出結果に基づいて行う。吸気温度が所定温度以下であれば、ステップＳ１０でループし、一方、吸気温度が所定温度以上であれば、ステップＳ１１へ進む。
【００４７】
ステップＳ１１において、プロジェクタ１が天吊りモードであるか否かを判断する。この判断は、入出力制御部５４が操作部２ｂまたは受信部１４から受信した信号が、天吊りモードを示すものであるか否かを見極めることであり、ＣＰＵ５１が行う。ステップＳ１１は、プロジェクタ１の稼動時にステップＳ２における判断に準じるものであり、信号が天吊りモードであれば、ステップＳ１２へ進み、一方、天吊りモードでなければ、ステップＳ１３へ進む。
【００４８】
そして、信号が天吊りモードであれば、ステップＳ１２において、外気流ファン３０が引き出されて稼動中か否かを判断する。この判断は、ＣＰＵ５１がファン制御部５５による外気流ファン３０への稼働指示を確認して行われる。外気流ファン３０が稼働していれば、ステップＳ１３へ進み、一方、外気流ファン３０が稼働していなければ、ステップＳ１５へ進む。
【００４９】
プロジェクタ１が天吊りモードでない場合、または、天吊りモードであって外気流ファン３０が稼働している場合は、ステップＳ１３において、光源ランプを消灯する。つまり、ステップＳ１３におけるプロジェクタ１は、吸気温度の上昇に対して、これ以上対処できない状態であり、発熱の多い光源ランプを消灯させて機構部を保護する処置が取られる。この処置は、ユニット制御部５３が光学ユニット４のインテグレータ照明部４１へ指示して、光源ランプを消灯させることにより行われる。光源ランプの消灯後、ステップＳ１４へ進む。
【００５０】
ステップＳ１４において、操作部２ｂに異常の表示を行う。これは、入出力制御部５４が操作部２ｂへ指示して行われ、この場合、警告ランプの点灯で表示される。表示後、フローは終了する。
【００５１】
また、ステップＳ１２において、外気流ファン３０が稼働していなければ、警告メッセージ（警告の表示）を表示する。具体的には、ユニット制御部５３の指示により、光学ユニット４を介して警告メッセージがスクリーンへ表示される。警告メッセージは、例えば、「温度が上昇しています。外気流ファンを稼働させてください」と表示される。このステップＳ１５は、警告ステップに該当する。この場合、警告メッセージは、外気流ファン３０を稼動させれば、筐体近傍の空気が攪拌され、吸気口５から導入する冷却空気の温度を下げられる可能性が高いことを意味する。以上で、フローは終了する。
【００５２】
以下、実施形態の主な効果をまとめて記載する。
【００５３】
（１）プロジェクタ１は、筐体に収容可能であると共に筐体からの引き出しも可能に構成された外気流ファン３０を備えていて、この外気流ファン３０は、引き出されて稼働を開始すると、筐体の近傍の空気を攪拌する。これにより、筐体の近傍の空気は、その場に滞留することなく常に流動する。従って、プロジェクタ１が天吊り設置の場合には、天井付近の高温の空気を吹き飛ばすことができ、プロジェクタ１は、攪拌され機構部の冷却に適した空気によって効率的に冷却される。
【００５４】
（２）外気流ファン３０は、プロジェクタ１が天吊り設置され、光源ランプが点灯している状態において、筐体から引き出されていれば稼働する構成である。これにより、プロジェクタ１は、不要時における外気流ファン３０の稼動を抑制して、省電力化を図ることができる。
【００５５】
（３）プロジェクタ１は、吸気口５から導入する冷却空気の温度が上昇すると、その旨の警告メッセージを表示して、対応処理を促す。これにより、外気流ファン３０が稼動中であれば、異常事態として光源ランプを消灯して異常表示をし、また、外気流ファン３０が筐体内に収容されたままであっても、外気流ファン３０を引き出して稼働させるように促す対応ができる。このような対応により、プロジェクタ１に支障が生じる事態を事前に回避することができる。
【００５６】
また、プロジェクタおよびプロジェクタの制御方法は上記の実施形態に限定されるものではなく、次に挙げる変形例のような形態であっても、上記の実施形態と同様な効果が得られる。
【００５７】
（変形例１）外気流ファン３０は、天吊り面３ａにおいて吸気口５の背面側に設けられているが、この配置に限定されることなく、筐体近傍の空気を攪拌できる他の位置に設けられても良い。これにより、機構部の配置に対応して内部の空きスペースへ収容部１３を設けて、柔軟な配置設定が行える。
【００５８】
（変形例２）外気流ファン３０は、回動して引き出される構成であるが、天吊り面３ａに対し直立状態のまま筐体へ収容され、また引き出される構成であっても良い。
【００５９】
（変形例３）外気流ファン３０の形状は、略直方体に限定されるものではなく、回転翼３５を内蔵できるならば多角形状や円形状等であっても良い。
【００６０】
（変形例４）外気流ファン３０において、吸入側の通気口３１ａは、収容部１３へ収容された時に閉じ、収容部１３から引き出された時に開くシャッタであっても良い。通気口３１ａがこのようなシャッタ形式であれば、収容時に外気流ファン３０の内部へ塵埃等が侵入することを防止できる。
【００６１】
（変形例５）外気流ファン３０の収容および引き出しは、リモートコントロール等によりファン支持部３３が自動的に行う構成であっても良く、さらに、ステップＳ１５の警告ステップにおいて、警告メッセージに加え、外気流ファン３０を自動的に引き出して稼働を開始させても良い。
【００６２】
（変形例６）外気流ファン３０は、プロジェクタ１が天吊り設置されている場合に稼働する構成であるが、プロジェクタ１の設置方法によらず、いつでも稼働させることができる構成であっても良い。
【００６３】
（変形例７）プロジェクタ１は、光学変調部４４として液晶パネルを用いているが、液晶パネル以外のマイクロミラーアレイデバイス等を用いても良い。これにより、種々の光学変調部を有するプロジェクタに外気流ファン３０を搭載することができる。
【図面の簡単な説明】
【００６４】
【図１】本実施形態にかかるプロジェクタを天吊り設置した状態を示す斜視図。
【図２】（ａ）天吊り設置され外気流ファンを収容した状態のプロジェクタを天井側から見た斜視図、（ｂ）外気流ファンを引き出した状態のプロジェクタを示す斜視図。
【図３】プロジェクタの機構部を示す斜視図。
【図４】制御部の構成を示すブロック図。
【図５】（ａ）プロジェクタに収容された外気流ファンを示す断面図、（ｂ）プロジェクタから引き出された外気流ファンを示す断面図。
【図６】プロジェクタの稼働開始時の手順を示すフローチャート。
【図７】プロジェクタの吸気温度が上昇した場合の手順を示すフローチャート。
【符号の説明】
【００６５】
１…プロジェクタ、２…筐体としてのカバー外装、３…筐体としての基部外装、４…光学ユニット、５…吸気口、６…排気口、９…天吊り機構部、１２…吸気温度検出部、１３…収容部、１５…吸気ファン、１６…排気ファン、２０…制御基板、３０…ファン部としての外気流ファン、３１ａ，３１ｂ…通気口、３３…ファン支持部、３４…モータ、３５…回転翼、３６…外気流ファン検出部、４０…外気流、４１…インテグレータ照明部、４２…色分離部、４３…リレー光学部、４４…光学変調部、４５…投射部、５０…制御部、５３…ユニット制御部、５５…ファン制御部、５６…検出制御部、９１…支柱部、９２…連結部。
【図１】
2009186648.tif 000003
【図２】
2009186648.tif 000004
【図３】
2009186648.tif 000005
【図４】
2009186648.tif 000006
【図５】
2009186648.tif 000007
【図６】
2009186648.tif 000008
【図７】
2009186648.tif 000009